(57)【要約】【課題】ユーザによって移動の目的地が設定されていない場合であっても、利便性の高い降雨情報提供システム及び降雨情報送信装置を提供することにある。【解決手段】移動体の位置情報を取得し、取得した位置情報をサーバ装置（降雨情報送信装置）１に送信する可搬型の通信端末装置２と、地図情報及び地図情報に対応付けて降雨情報を記憶し、通信端末装置２から送信された位置情報を受信し、受信した位置情報に基づいて、移動体の移動先の降雨に係る情報を通信端末装置２に送信するサーバ装置１とを備える降雨情報提供システム１００において、サーバ装置１は、受信した位置情報及び記憶してある降雨情報に基づき、移動体の位置から所定距離離れた位置の降雨の有無を判定し、判定結果に応じた情報を通信端末装置２へ送信する。通信端末装置２は、サーバ装置１から送信された情報を受信し、受信した情報に基づいて外部に報知をする。【選択図】図１
2015025718.tif 000002
【特許請求の範囲】
【請求項１】
移動体の位置情報を取得し、取得した位置情報を送信する位置情報送信部を有する可搬型の通信端末装置と、地図情報及び該地図情報に対応付けて降雨情報を記憶する記憶部、並びに前記位置情報送信部から送信された位置情報を受信する位置情報受信部を有し、該位置情報受信部が受信した位置情報に基づいて、前記移動体の移動先の降雨に係る情報を前記通信端末装置に送信する降雨情報送信装置とを備える降雨情報提供システムであって、
前記降雨情報送信装置は、
前記位置情報受信部が受信した位置情報及び前記記憶部から読出した降雨情報に基づき、前記移動体の位置から所定距離離れた位置の降雨の有無を判定する降雨判定部と、
該降雨判定部の判定結果に応じた情報を前記通信端末装置に送信する判定結果送信部と
を備え、
前記通信端末装置は、
前記判定結果送信部から送信された情報を受信する判定結果受信部と、
前記判定結果受信部が受信した情報に基づいて外部に報知をする報知部と
を備えることを特徴とする降雨情報提供システム。
【請求項２】
前記降雨情報送信装置は、
前記通信端末装置から送信された情報に基づき、前記移動体の移動方向を判定する方向判定部を備え、
前記降雨判定部は、前記移動体の位置から前記方向判定部が判定した移動方向に所定距離離れた位置の降雨の有無を判定するようにしてあること
を特徴とする請求項１に記載の降雨情報提供システム。
【請求項３】
前記地図情報は、区分けされた複数の領域の情報を含み、
前記記憶部は、前記領域の情報に対応付けて前記降雨情報を記憶してあり、
前記降雨情報送信装置は、
前記位置情報及び前記記憶部から読出した地図情報に基づき、前記移動体が所在する所在領域を特定する特定部を備え、
前記降雨判定部は、前記特定部が特定した所在領域の前記移動方向側に隣接する隣接領域の降雨の有無を判定するようにしてあること
を特徴とする請求項２に記載の降雨情報提供システム。
【請求項４】
前記降雨情報送信装置は、
前記隣接領域の前記移動方向側に隣接する第２隣接領域の降雨の有無を判定する第２隣接領域降雨判定部を備え、
前記判定結果送信部は、前記降雨判定部の判定結果と前記第２隣接領域降雨判定部の判定結果とに応じた情報を送信するようにしてあること
を特徴とする請求項３に記載の降雨情報提供システム。
【請求項５】
前記地図情報は、道路情報を含み、
前記降雨情報送信装置は、
前記通信端末装置から送信された情報に基づき、前記移動体の移動方向を判定する方向判定部と、
前記位置情報及び前記記憶部から読出した地図情報に含まれる道路情報に基づき、前記移動体が移動する移動道路を判定する移動道路判定部と、
該移動道路判定部が判定した移動道路及び前記方向判定部が判定した移動方向に基づいて、前記移動道路における前記移動体の進行方向を判定する進行方向判定部と
を備え、
前記降雨判定部は、前記移動体の位置から前記進行方向判定部が判定した進行方向に所定距離離れた前記移動道路における位置の降雨の有無を判定するようにしてあること
を特徴とする請求項１に記載の降雨情報提供システム。
【請求項６】
前記地図情報は、区分けされた複数の領域の情報を含み、
前記記憶部は、前記領域の情報に対応付けて前記降雨情報を記憶してあり、
前記降雨情報送信装置は、
前記位置情報及び前記記憶部から読出した地図情報に基づき、前記移動体が所在する所在領域を特定する特定部を備え、
前記降雨判定部は前記特定部が特定した所在領域に隣接し、かつ前記移動体が前記移動道路を前記進行方向に移動したときに進入すべき隣接領域の降雨の有無を判定するようにしてあること
を特徴とする請求項５に記載の降雨情報提供システム。
【請求項７】
前記降雨情報送信装置は、
前記隣接領域に隣接し、かつ前記移動体が前記移動道路を前記進行方向に移動したときに進入すべき第２隣接領域の降雨の有無を判定する第２隣接領域降雨判定部を備え、
前記判定結果送信部は、前記降雨判定部の判定結果と前記第２隣接領域降雨判定部の判定結果とに応じた情報を送信するようにしてあること
を特徴とする請求項６に記載の降雨情報提供システム。
【請求項８】
前記降雨情報は、降雨の程度を示す情報を含み、
前記降雨情報送信装置は、
前記隣接領域の降雨の程度を判定する程度判定部を備え、
前記判定結果送信部は、前記降雨判定部の判定結果と前記程度判定部の判定結果とに応じた情報を送信するようにしてあること
を特徴とする請求項３又は６に記載の降雨情報提供システム。
【請求項９】
前記降雨情報送信装置は、
前記降雨情報に基づき、前記所在領域の降雨の有無を判定する所在領域降雨判定部を備え、
前記判定結果送信部は、前記降雨判定部の判定結果と前記所在領域降雨判定部の判定結果が異なる場合に前記情報を送信するようにしてあること
を特徴とする請求項３、４、又は６から８の何れか一つに記載の降雨情報提供システム。
【請求項１０】
前記位置情報送信部は、前記位置情報を反復的に送信するようにしてあり、
前記方向判定部は、複数の前記位置情報に基づいて前記移動方向を判定するようにしてあること
を特徴とする請求項２から９までの何れか一つに記載の降雨情報提供システム。
【請求項１１】
前記通信端末装置は、
前記移動体の移動方向を検知する方向検知部と、
該方向検知部が検知した移動方向に係る情報を送信する移動方向送信部と
を備え、
前記降雨情報送信装置は、
前記移動方向送信部から送信された移動方向に係る情報を受信する移動方向受信部を備え、
前記方向判定部は、前記移動方向受信部が受信した移動方向に係る情報に基づいて前記移動方向を判定するようにしてあること
を特徴とする請求項２から９までの何れか一つに記載の降雨情報提供システム。
【請求項１２】
前記降雨情報送信装置は、
複数の車両夫々から、該車両の位置の情報と該車両に設けられたワイパーの作動状態又は降雨を検知するセンサの検知状態とを含む車両情報を取得する取得部と、
前記車両情報に基づいて前記降雨情報を生成する生成部と
を備えることを特徴とする請求項１から１１までの何れか一つに記載の降雨情報提供システム。
【請求項１３】
地図情報及び該地図情報に対応付けて降雨情報を記憶する記憶部、並びに移動体の位置情報を受信する受信部を有し、該受信部が受信した位置情報に基づいて、前記移動体の移動先の降雨に係る情報を送信する降雨情報送信装置において、
前記受信部が受信した位置情報及び前記記憶部から読出した降雨情報に基づき、前記移動体の位置から所定距離離れた位置の降雨の有無を判定する判定部と、
該判定部の判定結果に応じた情報を送信する送信部と
を備えることを特徴とする降雨情報送信装置。
【発明の詳細な説明】
【技術分野】
【０００１】
本発明は、移動体の移動先での降雨情報を提供する降雨情報提供システム、及び該降雨情報提供システムに用いられる降雨情報送信装置に関する。
【背景技術】
【０００２】
従来、移動体が移動する際の出発地及び目的地間の経路内における天気の情報を提供するナビゲーションシステムが知られている。例えば、特許文献１に記載のナビゲーションシステムは、互いに通信可能なサーバ装置（降雨情報送信装置）と端末装置（通信端末装置）とから構成される。サーバ装置は、交通網を規定したネットワークデータと地域及び時間帯の予想降雨量情報とを記憶しており、端末装置から送信された経路探索条件に基づいて、出発地から目的地までの案内経路を生成して端末装置に提供する。サーバ装置は、記憶してある予想降雨量情報から案内経路における被降雨量に係る情報を生成し、端末装置に送信する。端末装置は表示部を備え、サーバ装置から送信された案内経路を表示部に表示するときに、被降雨量に係る情報を案内経路に対応付けて表示する。従って、特許文献１に記載のナビゲーションシステムは、出発地及び目的地間の経路内の降雨量を端末装置のユーザに提供することができる。
【先行技術文献】
【特許文献】
【０００３】
【特許文献１】特開２０１２−８０４７号公報
【発明の概要】
【発明が解決しようとする課題】
【０００４】
しかしながら、特許文献１に記載のナビゲーションシステムは、目的地が設定されていない場合には案内経路を生成しないため、天気の情報を提供することができず、利便性に関して問題がある。例えば、二輪車（移動体）で目的地を設定せずに移動するとき、従来のナビゲーションシステムでは天気の情報が提供されないため、二輪車のユーザは降雨への準備を事前に行うことができない。
【０００５】
本発明は斯かる事情に鑑みてなされたものであり、移動体の移動先での降雨情報を提供し、利便性の高い降雨情報提供システム及び降雨情報送信装置を提供することにある。
【課題を解決するための手段】
【０００６】
本発明に係る降雨情報提供システムは、移動体の位置情報を取得し、取得した位置情報を送信する位置情報送信部を有する可搬型の通信端末装置と、地図情報及び該地図情報に対応付けて降雨情報を記憶する記憶部、並びに前記位置情報送信部から送信された位置情報を受信する位置情報受信部を有し、該位置情報受信部が受信した位置情報に基づいて、前記移動体の移動先の降雨に係る情報を前記通信端末装置に送信する降雨情報送信装置とを備える降雨情報提供システムであって、前記降雨情報送信装置は、前記位置情報受信部が受信した位置情報及び前記記憶部から読出した降雨情報に基づき、前記移動体の位置から所定距離離れた位置の降雨の有無を判定する降雨判定部と、該降雨判定部の判定結果に応じた情報を前記通信端末装置に送信する判定結果送信部とを備え、前記通信端末装置は、前記判定結果送信部から送信された情報を受信する判定結果受信部と、前記判定結果受信部が受信した情報に基づいて外部に報知をする報知部とを備えることを特徴とする。
【０００７】
本発明にあっては、降雨情報送信装置は、位置情報受信部が受信した移動体の位置情報及び記憶部から読出した降雨情報に基づき、移動体の位置から所定距離離れた位置の降雨の有無を降雨判定部にて判定する。降雨情報送信装置は、降雨判定部の判定結果に応じた情報を判定結果送信部にて通信端末装置に送信する。通信端末装置は、判定結果送信部から送信された情報を判定結果受信部にて受信する。通信端末装置は、判定結果受信部が受信した情報に基づいて、報知部にて外部に報知する。従って、降雨情報送信装置は、通信端末装置から送信された情報に基づいて移動体の移動先を予測し、その移動先の降雨に係る情報を通信端末装置に送信することができる。そのため、通信端末装置のユーザは、例えば雨具の着用の準備を事前に行うことができ、利便性が向上する。
【０００８】
本発明に係る降雨情報提供システムは、前記降雨情報送信装置は、前記通信端末装置から送信された情報に基づき、前記移動体の移動方向を判定する方向判定部を備え、前記降雨判定部は、前記移動体の位置から前記方向判定部が判定した移動方向に所定距離離れた位置の降雨の有無を判定するようにしてあることを特徴とする。
【０００９】
本発明にあっては、降雨情報送信装置は、通信端末装置から送信された情報に基づいて、方向判定部にて移動体の移動方向を判定する。降雨情報送信装置が備える降雨判定部は、移動体の位置から方向判定部が判定した移動方向に所定距離離れた位置の降雨の有無を判定するようにしてある。従って、降雨情報送信装置は、移動体の移動先を移動方向により予測することができる。
【００１０】
本発明に係る降雨情報提供システムは、前記地図情報は、区分けされた複数の領域の情報を含み、前記記憶部は、前記領域の情報に対応付けて前記降雨情報を記憶してあり、前記降雨情報送信装置は、前記位置情報及び前記記憶部から読出した地図情報に基づき、前記移動体が所在する所在領域を特定する特定部を備え、前記降雨判定部は、前記特定部が特定した所在領域の前記移動方向側に隣接する隣接領域の降雨の有無を判定するようにしてあることを特徴とする。
【００１１】
本発明にあっては、地図情報は区分けされた複数の領域の情報を含む。降雨情報送信装置が備える記憶部は、領域の情報に対応付けて降雨情報を記憶してある。降雨情報送信装置は、移動体の位置情報及び記憶部から読出した地図情報に基づき、特定部にて移動体が所在する所在領域を特定する。降雨情報送信装置が備える降雨判定部は、特定部が特定した所在領域の移動方向側に隣接する隣接領域の降雨の有無を判定するようにしてある。従って、降雨情報送信装置は、移動体の進入する領域を予測することができるため、移動体の移動する可能性がより高い場所の降雨に係る情報を提供することができる。
【００１２】
本発明に係る降雨情報提供システムは、前記降雨情報送信装置は、前記隣接領域の前記移動方向側に隣接する第２隣接領域の降雨の有無を判定する第２隣接領域降雨判定部を備え、前記判定結果送信部は、前記降雨判定部の判定結果と前記第２隣接領域降雨判定部の判定結果とに応じた情報を送信するようにしてあることを特徴とする。
【００１３】
本発明にあっては、降雨情報送信装置は、隣接領域における移動体の移動方向側に隣接する第２隣接領域の降雨の有無を、第２隣接領域降雨判定部にて判定する。降雨情報送信装置が備える判定結果送信部は、降雨判定部の判定結果と第２隣接領域降雨判定部の判定結果とに応じた情報を送信するようにしてある。従って、降雨情報送信装置は隣接領域及び第２隣接領域の降雨状況に応じた情報を通信端末装置に送信することができる。そのため、通信端末装置は例えば、移動の際における降雨の継続の程度を多段階で報知することができる。
【００１４】
本発明に係る降雨情報提供システムは、前記地図情報は、道路情報を含み、前記降雨情報送信装置は、前記通信端末装置から送信された情報に基づき、前記移動体の移動方向を判定する方向判定部と、前記位置情報及び前記記憶部から読出した地図情報に含まれる道路情報に基づき、前記移動体が移動する移動道路を判定する移動道路判定部と、該移動道路判定部が判定した移動道路及び前記方向判定部が判定した移動方向に基づいて、前記移動道路における前記移動体の進行方向を判定する進行方向判定部とを備え、前記降雨判定部は、前記移動体の位置から前記進行方向判定部が判定した進行方向に所定距離離れた前記移動道路における位置の降雨の有無を判定するようにしてあることを特徴とする。
【００１５】
本発明にあっては、地図情報は道路情報を含む。降雨情報送信装置は、通信端末装置から送信された情報に基づいて、移動体の移動方向を方向判定部にて判定する。降雨情報送信装置は、位置情報受信部が受信した位置情報及び記憶部から読出した地図情報に含まれる道路情報に基づき、移動体が移動する移動道路を移動道路判定部にて判定する。降雨情報送信装置は、移動道路判定部が判定した移動道路及び方向判定部が判定した移動方向に基づいて、移動道路における移動体の進行方向を進行方向判定部にて判定する。降雨情報送信装置が備える降雨判定部は、移動体の位置から進行方向判定部が判定した進行方向に所定距離離れた移動道路における位置の降雨の有無を判定するようにしてある。従って、降雨情報送信装置は、移動体の移動先を移動道路により予測することができる。
【００１６】
本発明に係る降雨情報提供システムは、前記地図情報は、区分けされた複数の領域の情報を含み、前記記憶部は、前記領域の情報に対応付けて前記降雨情報を記憶してあり、前記降雨情報送信装置は、前記位置情報及び前記記憶部から読出した地図情報に基づき、前記移動体が所在する所在領域を特定する特定部を備え、前記降雨判定部は前記特定部が特定した所在領域に隣接し、かつ前記移動体が前記移動道路を前記進行方向に移動したときに進入すべき隣接領域の降雨の有無を判定するようにしてあることを特徴とする。
【００１７】
本発明にあっては、地図情報は区分けされた複数の領域の情報を含む。降雨情報送信装置が備える記憶部は、領域の情報に対応付けて降雨情報を記憶してある。降雨情報送信装置は、移動体の位置の情報及び記憶部から読出した地図情報に基づき、移動体が所在する所在領域を特定部にて特定する。降雨情報送信装置が備える降雨判定部は、特定部が特定した所在領域に隣接し、かつ移動体が移動道路を進行方向側に移動したときに進入すべき隣接領域の降雨の有無を判定する。従って、降雨情報送信装置は、移動体の進入する領域を予測することができるため、移動体の移動する可能性がより高い場所の降雨に係る情報を提供することができる。
【００１８】
本発明に係る降雨情報提供システムは、前記降雨情報送信装置は、前記隣接領域に隣接し、かつ前記移動体が前記移動道路を前記進行方向に移動したときに進入すべき第２隣接領域の降雨の有無を判定する第２隣接領域降雨判定部を備え、前記判定結果送信部は、前記降雨判定部の判定結果と前記第２隣接領域降雨判定部の判定結果とに応じた情報を送信するようにしてあることを特徴とする。
【００１９】
本発明にあっては、降雨情報送信装置は、隣接領域に隣接し、かつ移動体が移動道路を進行方向に移動したときに進入すべき第２隣接領域の降雨の有無を第２隣接領域降雨判定部にて判定する。降雨情報送信装置が備える判定結果送信部は、降雨判定部の判定結果と第２隣接領域降雨判定部の判定結果とに応じた情報を送信するようにしてある。従って、降雨情報送信装置は隣接領域及び第２隣接領域の降雨状況に応じた情報を通信端末装置に送信することができる。そのため、通信端末装置は例えば、移動の際における降雨の継続の程度を多段階で報知することができる。
【００２０】
本発明に係る降雨情報提供システムは、前記降雨情報は、降雨の程度を示す情報を含み、前記降雨情報送信装置は、前記隣接領域の降雨の程度を判定する程度判定部を備え、前記判定結果送信部は、前記降雨判定部の判定結果と前記程度判定部の判定結果とに応じた情報を送信するようにしてあることを特徴とする。
【００２１】
本発明にあっては、降雨情報は降雨の程度を示す情報を含む。降雨情報送信装置は、隣接領域の降雨の程度を程度判定部にて判定する。降雨情報送信装置が備える判定結果送信部は、降雨判定部の判定結果と程度判定部の判定結果とに応じた情報を送信するようにしてある。従って、降雨情報送信装置は、隣接領域の降雨の有無と降雨の程度とに応じた情報を通信端末装置に送信するため、例えば、通信端末装置は移動先に係る降雨の程度を多段階で報知することができる。
【００２２】
本発明に係る降雨情報提供システムは、前記降雨情報送信装置は、前記降雨情報に基づき、前記所在領域の降雨の有無を判定する所在領域降雨判定部を備え、前記判定結果送信部は、前記降雨判定部の判定結果と前記所在領域降雨判定部の判定結果が異なる場合に前記情報を送信するようにしてあることを特徴とする。
【００２３】
本発明にあっては、降雨情報送信装置は、降雨情報に基づき、所在領域降雨判定部にて所在領域の降雨の有無を判定する。降雨情報送信装置が備える判定結果送信部は、降雨判定部の判定結果と前記所在領域降雨判定部の判定結果が異なる場合に信号を送信するようにしてある。従って、通信端末装置は例えば、移動体が降雨状態である領域から降雨状態でない領域に移動する場合に降雨であることを示す報知が可能なため、通信端末装置のユーザは、降雨でない領域に進入した際に、移動により降雨に遭うことを懸念せずに雨具を取り外すことができる。また、通信端末装置は例えば、移動体が降雨状態ではない領域から降雨状態である領域に移動する場合に降雨があることを示す報知が可能なため、通信端末装置のユーザは、降雨のある領域に移動する前に雨具の着用を準備することができる。
【００２４】
本発明に係る降雨情報提供システムは、前記位置情報送信部は、前記位置情報を反復的に送信するようにしてあり、前記方向判定部は、複数の前記位置情報に基づいて前記移動方向を判定するようにしてあることを特徴とする。
【００２５】
本発明にあっては、通信端末装置が備える位置情報送信部は、位置情報を反復的に送信するようにしてある。降雨情報送信装置が備える方向判定部は、複数の位置情報に基づいて移動方向を判定するようにしてある。従って、降雨情報送信装置は、通信端末装置が複数回に亘って送信した位置情報の履歴に基づいて、移動体の移動方向を判定することができる。
【００２６】
本発明に係る降雨情報提供システムは、前記通信端末装置は、前記移動体の移動方向を検知する方向検知部と、該方向検知部が検知した移動方向に係る情報を送信する移動方向送信部とを備え、前記降雨情報送信装置は、前記移動方向送信部から送信された移動方向に係る情報を受信する移動方向受信部を備え、前記方向判定部は、前記移動方向受信部が受信した移動方向に係る情報に基づいて前記移動方向を判定するようにしてあることを特徴とする。
【００２７】
本発明にあっては、通信端末装置は、方向検知部にて移動体の移動方向を検知する。通信端末装置は、方向検知部が検知した移動方向に係る情報を移動方向送信部にて送信する。降雨情報送信装置は、移動方向送信部から送信された移動方向に係る情報を移動方向受信部にて受信する。降雨情報送信装置が備える方向判定部は、移動方向送信部から送信された移動方向に係る情報に基づいて移動方向を判定するようにしてある。従って、降雨情報送信装置は、通信端末装置が検知した移動方向を用いることができる。
【００２８】
本発明に係る降雨情報提供システムは、前記降雨情報送信装置は、複数の車両夫々から、該車両の位置の情報と該車両に設けられたワイパーの作動状態又は降雨を検知するセンサの検知状態とを含む車両情報を取得する取得部と、前記車両情報に基づいて前記降雨情報を生成する生成部とを備えることを特徴とする。
【００２９】
本発明にあっては、降雨情報送信装置は、複数の車両夫々から車両の位置の情報と、車両に設けられたワイパーの作動状態又は降雨を検知するセンサの検知状態とを含む車両情報を、取得部にて取得する。降雨情報送信装置は、生成部にて車両情報に基づいて降雨情報を生成する。従って、降雨情報送信装置は、降雨情報を複数の車両の情報を用いて生成することができる。
【００３０】
本発明に係る降雨情報送信装置は、地図情報及び該地図情報に対応付けて降雨情報を記憶する記憶部、並びに移動体の位置情報を受信する受信部を有し、該受信部が受信した位置情報に基づいて、前記移動体の移動先の降雨に係る情報を送信する降雨情報送信装置において、前記受信部が受信した位置情報及び前記記憶部から読出した降雨情報に基づき、前記移動体の位置から所定距離離れた位置の降雨の有無を判定する判定部と、該判定部の判定結果に応じた情報を送信する送信部とを備えることを特徴とする。
【００３１】
本発明にあっては、判定部は、受信部が受信した移動体の位置情報及び記憶部から読出した降雨情報に基づき、移動体の位置から所定距離離れた位置の降雨の有無を判定する。送信部は、判定部の判定結果に応じた信号を送信する。従って、受信した位置情報に基づいて移動体の移動先を予測し、その移動先の降雨に係る情報を送信することができる。
【発明の効果】
【００３２】
本発明によれば、ユーザによって移動の目的地が設定されていない場合であっても、利便性の高い降雨情報提供システム及び降雨情報送信装置を提供することができる。
【図面の簡単な説明】
【００３３】
【図１】実施の形態１における降雨情報提供システムの全体の構成を示す模式図である。
【図２】通信端末装置の構成を示すブロック図である。
【図３】サーバ装置の構成を示すブロック図である。
【図４】地図情報を概念的に表した説明図である。
【図５】降雨情報の具体例を示す説明図である。
【図６】通信端末装置の処理手順を示すフローチャートである。
【図７】サーバ装置の処理手順を示すフローチャートである。
【図８】サーバ装置における信号送信処理の処理手順を示すフローチャートである。
【図９】実施の形態２における地図情報及び降雨情報を概念的に表した説明図である。
【図１０】サーバ装置の処理手順を示すフローチャートである。
【図１１】実施の形態３におけるサーバ装置による信号送信処理の処理手順を示すフローチャートである。
【図１２】実施の形態４における車両情報から程度情報を生成するときに参照する対応表の具体例を示す説明図である。
【図１３】実施の形態５における通信端末装置の構成を示すブロック図である。
【発明を実施するための形態】
【００３４】
以下、本発明をその実施の形態を示す図面に基づいて詳述する。
【００３５】
（実施の形態１）
図１は、実施の形態１における降雨情報提供システム１００の全体の構成を示す模式図である。降雨情報提供システム１００は、サーバ装置（降雨情報送信装置）１と通信端末装置２とを備える。サーバ装置１は、地図情報及び降雨情報を記憶し、通信端末装置２からの要求に応じて、降雨に係る情報を要求元の通信端末装置２にネットワークＮを介して送信する。ネットワークＮは、デジタル回線網や光ファイバ網等のインターネット及び携帯電話網を含んで構成される。また、サーバ装置１は、ネットワークＮを介して車両３と通信を行う。車両３は、車両３に係る車両情報をセンサ等で取得し、該車両情報を基地局ＢＳ及びネットワークＮを介して送信する、いわゆるプローブカーである。サーバ装置１は、車両３から送信された車両情報を記憶し、記憶した車両情報に基づいて降雨情報を生成する。なお、地図情報、降雨情報、及び車両情報については後述する。
【００３６】
通信端末装置２は、可搬型であり、二輪車（移動体）４に搭載又は二輪車４を使用するユーザに携帯される。即ち、実施の形態１において、二輪車４の位置及び移動する方向と通信端末装置２の位置及び移動する方向とは同一であるとする。通信端末装置２は、二輪車４の移動先の降雨に係る情報をユーザに報知するために、反復的に基地局ＢＳ及びネットワークＮを介してサーバ装置１と通信を行う。通信端末装置２はディスプレイ２４ａを備える。通信端末装置２は、サーバ装置１との通信により、例えば、「この先、雨が降っています。」等のメッセージ画像をディスプレイ２４ａに表示する。なお、実施の形態１においては移動体を二輪車４として説明したが、例えば三輪車など他の種類の移動体であってもよい。
【００３７】
図２は、通信端末装置２の構成を示すブロック図である。通信端末装置２が備えるＣＰＵ２１は、例えば一又は複数のＣＰＵ（Central Processing Unit）、マルチコアＣＰＵ等により構成される。またＣＰＵ２１には、バスを介して、一時記憶部２２、記憶部２３、出力部２４、操作部２５、通信部２６、及び位置検出部２７が接続されている。ＣＰＵ２１は記憶部２３に記憶されている制御プログラム２３ａを読出し、各部を制御する。
【００３８】
一時記憶部２２は、ＳＲＡＭ（Static RAM）、ＤＲＡＭ（Dynamic RAM）等のメモリにより構成される。一時記憶部２２は、ＣＰＵ２１が制御プログラム２３ａによる処理を行うことによって生ずる各種データを一時記憶する。
【００３９】
記憶部２３は、ＥＥＰＲＯＭ（Electrically Erasable and Programmable ROM）、フラッシュメモリ等の不揮発性メモリにより構成される。記憶部２３には、制御プログラム２３ａが記憶されている。制御プログラム２３ａは、サーバ装置１との通信により行う処理内容と、通信端末装置２が備える各部を制御するための処理内容とが記述されたプログラムである。また、記憶部２３には、識別情報２３ｂが記憶されている。識別情報２３ｂは、通信端末装置２の製造番号等の通信端末装置２を識別する情報である。
【００４０】
出力部２４には、ディスプレイ２４ａと、スピーカ２４ｂとが接続されている。出力部２４は、ＣＰＵ２１から出力される信号に基づき、ディスプレイ２４ａに画像又は映像を表示させ、スピーカ２４ｂから音声を出力させる。なお、ディスプレイ２４ａ及びスピーカ２４ｂは夫々、本発明における報知部に相当する。
【００４１】
操作部２５は、ユーザの操作を受け付ける押しボタン、タッチパネル等のユーザインターフェースにより構成される。操作部２５は、ユーザの操作により受け付けた情報をＣＰＵ２１に出力する。
【００４２】
通信部２６は、Ｗ−ＣＤＭＡ（Wideband Code Division Multiple Access）、ＣＤＭＡ２０００、ＬＴＥ（Long Term Evolution）、又は無線ＬＡＮ等を用いて無線通信を行い、基地局ＢＳとの通信接続制御を行う。通信部２６は、基地局ＢＳを介してネットワークＮと接続可能に構成され、サーバ装置１と情報の送受信を行う。
【００４３】
位置検出部２７は、ＧＰＳ（Global Positioning System）衛星からのＧＰＳ電波を受信するように構成され、通信端末装置２の位置を検出する。ここで、実施の形態１においては、通信端末装置２の位置と二輪車４の位置とは同一であるとする。位置検出部２７は、検出した二輪車４の位置に係る位置情報をＣＰＵ２１へ出力する。
【００４４】
図３は、サーバ装置１の構成を示すブロック図である。サーバ装置１が備えるＣＰＵ１１は、例えば一又は複数のＣＰＵ、マルチコアＣＰＵ等により構成される。また、ＣＰＵ１１には、バスを介して、一時記憶部１２、記憶部１３、通信部１４、入出力部１５が接続されている。ＣＰＵ１１は後述の記憶部１３に記憶されている制御プログラム１３ａを読出し、各部を制御する。
【００４５】
一時記憶部１２は、ＳＲＡＭ、ＤＲＡＭ等のメモリにより構成される。一時記憶部１２は、ＣＰＵ１１が制御プログラム１３ａによる処理を行うことによって生ずる各種データを一時記憶する。
【００４６】
記憶部１３は、ＥＥＰＲＯＭ、フラッシュメモリ、ＨＤＤ（Hard Disk Drive）等の不揮発性メモリにより構成される。記憶部１３には、制御プログラム１３ａが記憶されている。制御プログラム１３ａは、サーバ装置１が車両３及び通信端末装置２との通信により行う処理内容と、サーバ装置１が各部を制御するための処理内容とが記述されたプログラムである。
【００４７】
また記憶部１３には、地図情報１３ｂが記憶されている。地図情報１３ｂは、例えば平面地図を表すためのデータが記憶されたデータベースであり、数値地図データ等の各地点の緯度及び経度等で表される２次元の座標値が、記憶された又は算出可能なデータが含まれている。また、地図情報１３ｂは、記憶してある平面地図の各次元を所定間隔で区分けすることにより形成される矩形の領域、いわゆるメッシュに係るメッシュデータを記憶している。メッシュデータは、例えばメッシュを形成する４点の座標値に対応付けてメッシュを識別する領域ＩＤが記憶されたテーブル形式のデータである。なお、所定間隔は、５０ｍ、５００ｍ、１ｋｍ等である。地図情報１３ｂは、一の間隔により形成された領域のみを記憶していてもよいし、複数の間隔夫々により形成される領域を記憶していてもよい。
【００４８】
図４は、地図情報１３ｂを概念的に表した説明図である。以下、図中において矢印で示す方向を南北方向及び東西方向として説明する。なお、実施の形態１においては説明の便宜上、南北、東西としたが、これに限定されるものではない。
【００４９】
図４には、複数の領域で構成された平面地図が示されている。複数の領域は、平面地図の東西方向及び南北方向に所定間隔で区分けされて形成される。東西方向に区分けされた区間は、東西方向の西側から東側に向かってＡ，Ｂ，Ｃ，・・・等のアルファベットが付されて識別される。また、南北方向に区分けされた区間は、南北方向の北側から南側に向かって１，２，３，・・・等の数字が付されて識別される。実施の形態１において上述の領域を識別する領域ＩＤは、アルファベット及び数字を用いる。例えば、東西方向の区間Ｂと南北方向の区間３とが交差する領域の領域ＩＤはＢ３とする。なお、実施の形態１においては、南北方向の区間をアルファベットで識別し、東西方向の区間を数字で識別するようにしたが、南北、東西方向の区間夫々が識別できれば、他の識別子を用いてもよい。
【００５０】
また、図４中における斜線が示された領域は、対応する場所が降雨状態であることを示し、それ以外の領域は対応する場所が降雨状態ではないことを示す。
【００５１】
また記憶部１３には、降雨情報１３ｃが記憶されている。降雨情報１３ｃは、地図情報１３ｂと対応付けて記憶され、領域毎の降雨の有無を示す情報が記憶されている。図５は、降雨情報１３ｃの具体例を示す説明図である。降雨情報１３ｃは、領域ＩＤ毎に降雨の有無を示すフラグが記憶されたテーブルである。フラグの値が０のときは降雨状態では無いことを示し、フラグの値が１のときは降雨状態であることを示す。例えば、図４中のＡ１の領域においては降雨状態ではないため、図５中においてはフラグの値が０となり、図４中のＣ１の領域においては降雨状態であるため、図５中においてはフラグの値が１となる。
【００５２】
更に記憶部１３には、車両情報１３ｄが記憶されている。車両情報１３ｄは、後述の通信部１４にて受信した複数の車両３，３，・・・夫々に係る情報である。例えば、車両情報１３ｄは、車両３を識別する車両ＩＤ毎に車両３の位置情報及びワイパーの作動状態を示す情報を記憶したテーブルである。ワイパーの作動状態を示す情報とは、例えばワイパーのスイッチがオン又はオフを示す情報である。ＣＰＵ１１は、車両情報１３ｄを用いて、降雨情報１３ｃを生成する。ＣＰＵ１１は、後述の通信部１４を介して複数の車両３，３，・・・と反復的に通信を行うことで、車両情報１３ｄを取得し、降雨情報１３ｃを反復的に生成する。なお、ＣＰＵ１１は、制御プログラム１３ａを実行することにより通信部１４を介して車両情報１３ｄを取得しており、本発明の取得部として機能する。
【００５３】
ここで、ＣＰＵ１１が車両情報１３ｄから降雨情報１３ｃを生成する処理の一例を以下に説明する。なお、以下では降雨情報１３ｃ及び車両情報１３ｄは夫々、上述のテーブル形式のデータとして説明する。ＣＰＵ１１は、車両情報１３ｄの各レコードに含まれる位置情報及び地図情報１３ｂに含まれるメッシュデータに基づいて、車両情報１３ｄのレコードを分類する。具体的にはＣＰＵ１１は、領域夫々に対応付けて車両情報１３ｄに含まれるレコード群を一時記憶部１２に記憶する。各領域に対応付ける基準は、車両情報１３ｄの各レコードに含まれる位置情報が領域に含まれる位置を示す情報であるか否かにより行う。次いでＣＰＵ１１は、車両情報１３ｄに含まれるワイパーの作動状態を示す情報に基づいて、領域毎の降雨の有無を判定する。具体的には、ＣＰＵ１１は、一の領域に対応付けて記憶された車両情報１３ｄのレコード群において、ワイパーの作動状態を示す情報におけるワイパーのスイッチがオンであることを示すレコードの割合により、その領域の降雨の有無を判定する。ＣＰＵ１１は例えば、上述のレコードの割合が５割以上であったとき、降雨有と判定する。その後、ＣＰＵ１１は、上述の判定結果に基づき、領域ＩＤ毎に降雨の有無を示すフラグが記憶されたテーブル、即ち降雨情報１３ｃを生成する。なお、ＣＰＵ１１は、制御プログラム１３ａを実行することにより車両情報１３ｄから降雨情報１３ｃを生成しており、本発明の生成部として機能する。
【００５４】
通信部１４は、ネットワークＮと接続可能に構成され、通信端末装置２及び車両３と情報の送受信を行う。
【００５５】
入出力部１５は、外部からキーボード、ディスプレイ等の入出力装置が接続され、入出力装置からの入力信号をＣＰＵ１１に出力し、ＣＰＵ１１からの出力信号を入出力装置に出力する。
【００５６】
上述した、サーバ装置１及び通信端末装置２の構成において、通信端末装置２が備えるＣＰＵ２１は、反復的に位置検出部２７に指令を出して自己の現在位置を検出する。ＣＰＵ２１は、位置検出部２７にて検出した位置情報及び記憶部２３に記憶された識別情報２３ｂを含んだ信号を、通信部２６を介してサーバ装置１に反復的に送信する。サーバ装置１が備えるＣＰＵ１１は、通信端末装置２から送信された信号を、通信部１４を介して受信する。ＣＰＵ１１は、受信した信号に基づいて、二輪車４の移動方向を判定し、所在する領域を特定する。ＣＰＵ１１は、記憶部１３に記憶された降雨情報１３ｃを参照し、所在する領域が降雨状態であるか否かを判定する。またＣＰＵ１１は判定した二輪車４の移動方向、特定した所在する領域、及び記憶部１３に記憶された降雨情報１３ｃから、所在する領域の移動方向側に隣接する領域が降雨状態であるか否かを判定する。ＣＰＵ１１は、所在する領域が降雨状態であり、隣接する領域が降雨状態でない場合、第１の信号を通信端末装置２に送信する。ＣＰＵ１１は、所在する領域が降雨状態でなく、隣接する領域が降雨状態である場合、第２の信号を通信端末装置２に送信する。通信端末装置２が備えるＣＰＵ２１は、通信部２６を介して第１の信号を受信した場合、出力部２４を介して移動先が降雨でないことを示すメッセージ画像をディスプレイ２４ａに表示させる。また、ＣＰＵ２１は、通信部２６を介して第２の信号を受信した場合、出力部２４を介して移動先が降雨であることを示すメッセージ画像をディスプレイ２４ａに表示させる。
【００５７】
以上の処理をサーバ装置１及び通信端末装置２が行うことにより、二輪車４のユーザは、移動先の降雨に係る情報を知ることができるので、雨具の着用の準備等を事前に行うことができる。以下、サーバ装置１及び通信端末装置２の夫々の処理手順を詳述する。
【００５８】
図６は、通信端末装置２の処理手順を示すフローチャートである。通信端末装置２が備えるＣＰＵ２１は、位置情報を取得すべき所定のタイミングにあるか否かを判定する（ステップＳ１１）。例えばＣＰＵ２１は、所定時間毎に位置検出部２７に指令を出すように構成されており、所定時間が経過する都度、所定のタイミングであると判定する。所定時間は例えば１秒である。所定のタイミングでないと判定した場合（Ｓ１１：ＮＯ）、ＣＰＵ２１は処理を待つ。ここで、ＣＰＵ２１は、時間を計測するときに、通信端末装置２にタイマ（図示略）を備えて計測してもよいし、時間計測用のプログラム（図示略）を実行することによって計測してもよい。
【００５９】
所定のタイミングであると判定した場合（Ｓ１１：ＹＥＳ）、ＣＰＵ２１は位置検出部２７に指令を出し、二輪車４の位置情報を取得する（ステップＳ１２）。次いで、ＣＰＵ２１は通信部２６に指令を出し、サーバ装置１に信号を送信する（ステップＳ１３）。送信する信号は、具体的には、ステップＳ１２で取得した二輪車４の位置情報及び記憶部２３に記憶された識別情報２３ｂを含んだ信号である。なお、ステップＳ１３においてＣＰＵ２１は制御プログラム２３ａを実行することにより、本発明の位置情報送信部として機能する。
【００６０】
次いで、ＣＰＵ２１は、計時を開始する（ステップＳ１４）。ステップＳ１４においてもステップＳ１１と同様に、ＣＰＵ２１はタイマによって又は時間計測用のプログラムを実行することによって時間を計測する。その後、ＣＰＵ２１は、通信部２６にてサーバ装置１からの信号を受信したか否かを判定する（ステップＳ１５）。信号を受信したと判定した場合（Ｓ１５：ＹＥＳ）、ＣＰＵ２１は出力部２４を介して、ディスプレイ２４ａ又はスピーカ２４ｂに指令を出し、受信した信号に応じた報知を行い（ステップＳ１６）、処理を終える。ステップＳ１６において、ディスプレイ２４ａ又はスピーカ２４ｂは、受信した信号に応じて報知内容が異なる２種類の報知を行う。１種類目の報知は、二輪車４が現在の移動方向に進んだ場合に移動先が降雨状態でないことを示す報知であり、例えばディスプレイ２４ａに、「この先、雨は降っていません。」等のメッセージ画像を表示させる。２種類目の報知は、二輪車４が現在の移動方向に進んだ場合に移動先が降雨状態であることを示す報知であり、例えばディスプレイ２４ａに、「この先、雨が降っています。」等のメッセージ画像を表示させる。なお、実施の形態１においてＣＰＵ２１は、上述の移動先が降雨状態であるか否かを報知させることができればよく、報知する種類によってスピーカ２４ｂから出力する音声の種類を変更するようにしてもよい。なお、ステップＳ１５において、ＣＰＵ２１は制御プログラム２３ａを実行することにより、本発明の判定結果受信部として機能する。
【００６１】
一方、ステップＳ１５にてサーバ装置１からの信号を受信していないと判定した場合（Ｓ１５：ＮＯ）、ＣＰＵ２１は、ステップＳ１４において計時を開始した後、所定時間を経過したか否かを判定する（ステップＳ１７）。所定時間とは、ＣＰＵ２１がステップＳ１３で信号を送信した後、サーバ装置１から信号を受信するまでの許容可能な待ち時間であり、例えば１０秒などとすればよい。
【００６２】
所定時間を経過していないと判定した場合（Ｓ１７：ＮＯ）、ＣＰＵ２１は、処理をステップＳ１５に戻す。一方、所定時間を経過したと判定した場合（Ｓ１７：ＹＥＳ）、ＣＰＵ２１はステップＳ１６で開始した計時を終了し（ステップＳ１８）、処理をステップＳ１２に戻す。ステップＳ１８においては、ステップＳ１４の計時をタイマにより行っていた場合はタイマをリセットし、時間計測用のプログラムを実行していた場合はその実行を終える。
【００６３】
図６に示した処理を通信端末装置２が行うことによって、二輪車４を使用して移動しているユーザは、通信端末装置２を特に操作することなくサーバ装置１と通信を行い、移動方向に進んだときの移動先が降雨状態であるか否かを知ることができる。
【００６４】
図７は、サーバ装置１の処理手順を示すフローチャートである。サーバ装置１のＣＰＵ１１は、図６中のステップＳ１３で送信された通信端末装置２からの信号を通信部２６にて受信したか否かを判定する（ステップＳ２１）。具体的には、通信部２６にて受信した信号に、二輪車４の位置情報及び通信端末装置２の識別情報２３ｂが含まれているか否かにより判定する。受信していないと判定した場合（Ｓ２１：ＮＯ）、ＣＰＵ１１は処理を待つ。なお、ステップＳ２１においてＣＰＵ１１は制御プログラム１３ａを実行することにより、本発明の位置情報受信部として機能する。
【００６５】
通信端末装置２から送信された信号を受信したと判定した場合（Ｓ２１：ＹＥＳ）、所定回数以上受信したか否かを判定する（ステップＳ２２）。具体的にはＣＰＵ１１は、ステップＳ２１で受信した信号に含まれる識別情報２３ｂに対応付けて一時記憶部１２に記憶してある位置情報の数が、所定回数を示す数以上であるか否かにより判定する。所定回数とは、後述の通信端末装置２の移動方向を判定するために要する回数であり、少なくとも２回以上である。所定回数以上受信していないと判定した場合（Ｓ２２：ＮＯ）、ＣＰＵ１１は、ステップＳ２１で受信した信号に含まれる識別情報２３ｂに対応付けて、位置情報を一時記憶部１２に記憶し（ステップＳ２３）、処理をステップＳ２１に戻す。なお、ステップＳ２２における所定回数は、図６中のステップＳ１１における二輪車４の位置を検出すべきタイミング、又はステップＳ１７において設定された所定時間に応じて変更するようにしてもよい。
【００６６】
所定回数以上受信したと判定した場合（Ｓ２２：ＹＥＳ）、ＣＰＵ１１は、二輪車４の移動方向を判定する（ステップＳ２４）。例えば、ＣＰＵ１１は、一時記憶部１２に最初に記憶された位置の情報における座標を始点とし、一時記憶部１２に最後に記憶された位置の情報における座標を終点としたときの、始点及び終点間のベクトルの向きを移動方向とする。なお、ＣＰＵ１１はステップＳ２４において制御プログラム１３ａを実行することにより、方向判定部として機能する。
【００６７】
次いで、ＣＰＵ１１は、ステップＳ２１で受信した信号に含まれる二輪車４の位置情報に基づいて、通信端末装置２が所在する所在領域を特定する（ステップＳ２５）。具体的には、ＣＰＵ１１は、位置情報における座標値が含まれる領域を特定する。なお、ＣＰＵ１１はステップＳ２５において制御プログラム１３ａを実行することにより、特定部として機能する。
【００６８】
次いで、ＣＰＵ１１は信号送信処理を行う（ステップＳ２６）。信号送信処理は、上述の図６中のステップＳ１５における報知を通信端末装置２に行わせるための信号を送信する処理であり、詳細は後述する。その後、ＣＰＵ１１は、ステップＳ２３で一時記憶部１２に記憶した位置情報を削除し（ステップＳ２７）、処理を終える。
【００６９】
図８は、サーバ装置１における信号送信処理の処理手順を示すフローチャートである。サーバ装置１のＣＰＵ１１は、記憶部１３に記憶されている降雨情報１３ｃを参照し、ステップＳ２５で特定した所在領域が降雨状態であるか否かを判定する（ステップＳ３１）。所在領域が降雨状態であると判定した場合（Ｓ３１：ＹＥＳ）、降雨情報１３ｃを参照し、隣接領域が降雨状態であるか否かを判定する（ステップＳ３２）。ここで、隣接領域とは、所在領域に相当する領域における、図７中のステップＳ２４で判定した移動方向側に隣接する領域である。例えば、所在領域を図４中のＢ３とし、移動方向が東向きとしたとき、隣接領域はＣ３となる。なお、ＣＰＵ１１はステップＳ３１において制御プログラム１３ａを実行することにより、本発明における所在領域降雨判定部として機能する。また、ＣＰＵ１１はステップＳ３２において制御プログラム１３ａを実行することにより、本発明における降雨判定部として機能する。
【００７０】
ステップＳ３２において、隣接領域が降雨状態であると判定した場合（Ｓ３２：ＹＥＳ）、ＣＰＵ１１は、図７中のステップＳ２７に処理を戻す。
【００７１】
一方、隣接領域が降雨状態ではないと判定した場合（Ｓ３２：ＮＯ）、ＣＰＵ１１は通信部１４にて通信端末装置２に第１の信号を送信する（ステップＳ３３）。第１の信号は、図６中のステップＳ１６において、通信端末装置２に上述の１種類目の報知、即ち二輪車４が現在の移動方向に進んだ場合に移動先が降雨状態ではないことを示す報知を行わせる情報が含まれた信号である。その後、ＣＰＵ１１は図７中のステップＳ２７に処理を戻す。なお、ステップＳ３３においてＣＰＵ１１は制御プログラム１３ａを実行することにより、本発明の判定結果送信部として機能する。
【００７２】
また、ステップＳ３１において所在領域が降雨状態でないと判定した場合（Ｓ３１：ＮＯ）、隣接領域が降雨状態であるか否かを判定する（ステップＳ３４）。ここで、ステップＳ３４における処理は、ステップＳ３２における処理と同様であるため、詳細な説明は省略する。隣接領域が降雨状態でないと判定した場合（Ｓ３４：ＮＯ）、ＣＰＵ１１は図７中のステップＳ２７に処理を戻す。
【００７３】
隣接領域が降雨状態であると判定した場合（Ｓ３４：ＹＥＳ）、ＣＰＵ１１は第２の信号を通信端末装置２に送信する（ステップＳ３５）。第２の信号は、図６中のステップＳ１６において、通信端末装置２に上述の２種類目の報知、即ち二輪車４が現在の移動方向に進んだ場合に移動先が降雨状態であることを示す報知を行わせる情報が含まれた信号である。その後ＣＰＵ１１は、図７中のステップＳ２７に処理を戻す。なお、ステップＳ３５においてＣＰＵ１１は制御プログラム１３ａを実行することにより、本発明の判定結果送信部として機能する。
【００７４】
以上の構成及び処理により、サーバ装置１は、通信端末装置２から送信された情報に基づいて移動体の移動先を予測し、その移動先の降雨に係る情報を通信端末装置２に送信することができる。そのため、通信端末装置２のユーザは、例えば雨具の着用の準備を事前に行うことができ、利便性が向上する。また、サーバ装置１は、移動先を通信端末装置２の移動方向により進入する領域、即ち隣接領域を予測することができるため、より二輪車４の移動する可能性の高い場所の降雨に係る情報を提供することができる。また、サーバ装置１は、所在領域が降雨状態であり、隣接領域が降雨状態でないときに第１の信号を送信する。そのため、通信端末装置２のユーザは例えば、降雨状態にない領域に侵入した際に、移動により降雨に遭うことを懸念せずに雨具を取り外すことができる。また、サーバ装置１は、所在領域が降雨状態ではなく、隣接領域が降雨状態であるときに第２の信号を送信する。そのため、通信端末装置２のユーザは例えば、降雨状態である領域に移動する前に雨具の着用を準備することができる。また、サーバ装置１は、通信端末装置２が複数回に亘って送信した位置情報の履歴によって、二輪車４の移動方向を判定することができる。更に、サーバ装置１は、複数の車両３，３，・・・との通信により取得した車両情報１３ｄから、降雨情報を生成することができる。
【００７５】
（実施の形態２）
上述の実施の形態１では、地図情報１３ｂに道路情報が含まれていない場合について説明した。実施の形態２においては、地図情報１３ｂに道路情報が含まれている場合について説明する。なお、以下で説明する構成及び作用を除くその他の構成及び作用は上述の実施の形態１と同様であるため、同様な構成に関する詳細な説明及びその作用効果の説明は簡潔のため省略する。
【００７６】
実施の形態２において、サーバ装置１が備える記憶部１３に記憶された地図情報１３ｂは、道路情報を含む。道路情報とは例えば、交差点をノードとし、道路をリンクとする、ネットワーク形式のデータである。各ノードには、平面地図上の２次元の座標値が付加して記憶されている。また、各リンクには領域の境界と交差する箇所の２次元の座標値が付加して記憶されている。
【００７７】
図９は、実施の形態２における地図情報１３ｂ及び降雨情報１３ｃを概念的に表した説明図である。道路Ｒは、交差点の無い１本の道路であり、Ａ３、Ｂ３、Ｂ４、Ｃ４、Ｃ３、Ｄ３、及びＥ３を通過する。地点Ｒ１は、Ｂ３に含まれる道路Ｒ上の１地点であり、地点Ｒ２はＣ４に含まれる道路Ｒ上の１地点である。なお、実施の形態２においては、説明の便宜上、１本の道路Ｒのみを示したが、複数本の道路が示されていてもよい。
【００７８】
図１０は、サーバ装置１の処理手順を示すフローチャートである。なお、ステップＳ４１〜ステップＳ４４までの処理は、実施の形態１における図７中のステップＳ２１〜ステップＳ２４までの処理と同様であるため、詳細な説明は省略する。また、ステップＳ４７〜ステップＳ４９までの処理は、実施の形態１における図７中のステップＳ２５〜ステップＳ２７までの処理と同様であるため、詳細な説明は省略する。
【００７９】
サーバ装置１のＣＰＵ１１は、ステップＳ４１で受信した信号に含まれる二輪車４の位置情報及び記憶部１３に記憶された地図情報１３ｂに含まれる道路情報に基づいて、二輪車４の移動道路を判定する（ステップＳ４５）。その後、ＣＰＵ１１は、ステップＳ４４で判定した移動方向及びステップＳ４５で判定した移動道路に基づいて、二輪車４のステップＳ４５で判定した移動道路における進行方向を判定し（ステップＳ４６）、処理をステップＳ４７以降へと進める。なお、ＣＰＵ１１はステップＳ４５において制御プログラム１３ａを実行することにより本発明の移動道路判定部として機能する。また、ＣＰＵ１１はステップＳ４６において制御プログラム１３ａを実行することによって本発明の進行方向判定部として機能する。
【００８０】
ここで、サーバ装置１によるステップＳ４８の信号送信処理の処理手順は、実施の形態１における図８に示した処理手順と同様であるため詳細な説明は省略するが、実施の形態２において、隣接領域の定義が異なるため、以下に説明する。
【００８１】
実施の形態２において隣接領域は、図１０中のステップＳ４７で特定した所在領域に相当する領域に隣接し、かつ二輪車４がステップＳ４５で判定した移動道路をステップＳ４６で判定した進行方向に進んだ場合に進入すべき領域である。例えば、二輪車４が道路Ｒの地点Ｒ１の位置からサーバ装置１に信号を送信し、信号を受信したサーバ装置１が、移動方向を東向き、移動道路を道路Ｒ、進行方向を東向きと判定し、所在領域をＢ３と特定した場合、実施の形態２において隣接領域はＢ４となる。そのため、Ｂ３及びＢ４とで降雨状態が同じであるため、サーバ装置１は通信端末装置２に信号を送信しない。
【００８２】
また、二輪車４が道路Ｒの地点Ｒ２の位置からサーバ装置１に信号を送信し、信号を受信したサーバ装置１が、移動方向を東向き、移動道路を道路Ｒ、進行方向を東向きと判定し、所在領域をＣ４と特定した場合、実施の形態２において隣接領域はＣ３となる。そのためＣ４が降雨状態で無く、Ｃ３が降雨状態であるため、サーバ装置１は通信端末装置２に第２の信号を送信する。
【００８３】
以上の構成及び処理により、サーバ装置１は、二輪車４の移動している移動道路の情報を用いて移動先を予測することができる。また、サーバ装置１は、二輪車４の移動先を隣接領域として予測することにより、予測精度を高めることができる。
【００８４】
（実施の形態３）
上述の実施の形態１及び２におけるサーバ装置１は、所在領域及び所在領域に隣接する隣接領域の降雨の有無を判定することによって、判定結果に応じた処理を行った。実施の形態３においては、更に隣接領域に隣接する第２隣接領域の降雨の有無を判定する。なお、以下で説明する構成及び作用を除くその他の構成及び作用は上述の実施の形態１と同様であるため、同様な構成に関する詳細な説明及びその作用効果の説明は簡潔のため省略する。
【００８５】
図１１は、実施の形態３におけるサーバ装置１による信号送信処理の処理手順を示すフローチャートである。なお、ステップＳ５１、ステップＳ５２、及びステップＳ５６は夫々、実施の形態１における図８中のステップＳ３１、ステップＳ３２、及びステップＳ３４と同様であるため、詳細な説明は省略する。
【００８６】
サーバ装置１のＣＰＵ１１は、ステップＳ５２において隣接領域が降雨状態ではないと判定した場合（Ｓ５２：ＮＯ）、第２隣接領域が降雨状態であるか否かを判定する（ステップＳ５３）。第２隣接領域は、隣接領域に相当する領域における、図７中のステップＳ２４で判定した移動方向側に隣接する領域である。例えば、所在領域を図４中のＢ３とし、移動方向が東向きとしたとき、隣接領域はＣ３となり、第２隣接領域はＤ３となる。なお、ＣＰＵ１１はステップＳ５３において制御プログラム１３ａを実行することにより第２隣接領域降雨判定部として機能する。
【００８７】
第２隣接領域が降雨状態であると判定した場合（Ｓ５３：ＹＥＳ）、ＣＰＵ１１は通信部１４に指令を出し、通信端末装置２に第１の信号を送信する（ステップＳ５４）。第２隣接領域が降雨状態ではないと判定した場合（Ｓ５３：ＮＯ）、ＣＰＵ１１は通信部１４に指令を出し、通信端末装置２に第２の信号を送信する（ステップＳ５５）。実施の形態３において、第１の信号及び第２の信号は共に、二輪車４が現在の移動方向に進んだ場合に移動先が降雨でないことを示す報知を、通信端末装置２に行わせる情報が含まれた信号であるが、通信端末装置２に行わせる報知の程度が異なる。通信端末装置２は例えば、第１の信号を受信した場合、「この先、雨は降っていません。」というメッセージ画像をディスプレイ２４ａに表示させる。また、通信端末装置２は例えば、第２の信号を受信した場合、「しばらく先まで雨は降っていません。」というメッセージ画像をディスプレイ２４ａに表示させる。なお、ステップＳ５４及びステップＳ５５において、ＣＰＵ１１は制御プログラム１３ａを実行することにより本発明の判定結果送信部として機能する。
【００８８】
また、ＣＰＵ１１は、ステップＳ５６において隣接領域が降雨状態であると判定した場合（Ｓ５６：ＹＥＳ）、第２隣接領域が降雨状態であるか否かを判定する（ステップＳ５７）。ステップＳ５７における処理は、ステップＳ５３における処理と同様であるため、詳細な説明は省略する。なお、ＣＰＵ１１はステップＳ５７において制御プログラム１３ａを実行することにより第２隣接領域降雨判定部として機能する。
【００８９】
第２隣接領域が降雨状態であると判定した場合（Ｓ５７：ＹＥＳ）、ＣＰＵ１１は通信部１４に指令を出し、通信端末装置２に第３の信号を送信する（ステップＳ５８）。第２隣接領域が降雨状態ではないと判定した場合（Ｓ５７：ＮＯ）、ＣＰＵ１１は通信部１４に指令を出し、通信端末装置２に第４の信号を送信する（ステップＳ５９）。実施の形態３において、第１の信号及び第２の信号は共に、二輪車４が現在の移動方向に進んだ場合に移動先が降雨状態であることを示す報知を、通信端末装置２に行わせる情報が含まれた信号であるが、通信端末装置２に行わせる報知の程度が異なる。通信端末装置２は例えば、第１の信号を受信した場合、「しばらく先まで雨が降っています。」というメッセージ画像をディスプレイ２４ａ表示させる。また、通信端末装置２は例えば、第２の信号を受信した場合、「この先、雨が降っています。」というメッセージ画像をディスプレイ２４ａに表示させる。なお、ステップＳ５８及びステップＳ５９において、ＣＰＵ１１は制御プログラム１３ａを実行することにより、本発明の判定結果送信部として機能する。
【００９０】
以上の構成及び処理により、サーバ装置１は、隣接領域及び第２隣接領域の降雨の有無を判定し、その判定結果に応じた信号を送信することができ、通信端末装置２は、送信された信号に応じた報知をすることができる。そのため、信号を受信した通信端末装置２のユーザは、二輪車４の移動先における降雨の有無だけでなく、降雨の状態が続く程度又は、降雨状態でない状態が続く程度を知ることができる。
【００９１】
なお、実施の形態３においては、上述の箇所以外は実施の形態１と同様であることを示したが、実施の形態２と同様であってもよい。その場合、第２隣接領域は、隣接領域に相当する領域に隣接し、かつ二輪車４が移動道路を進行方向に移動したときに進入すべき領域となる。例えば、二輪車４が道路Ｒを東向きに移動し、通信端末装置２がＢ３内のＲ１の地点からサーバ装置１に信号を送信した場合、サーバ装置１は、隣接領域をＢ４とし、第２隣接領域をＣ４とする。
【００９２】
（実施の形態４）
実施の形態１及び２においては、降雨情報１３ｃは降雨の有無を示すフラグにより構成される例を説明した。実施の形態４においては、降雨情報１３ｃは降雨の程度を示す程度情報により構成される例を説明する。なお、以下で説明する構成及び作用を除くその他の構成及び作用は上述の実施の形態１及び２と同様であるため、同様な構成に関する詳細な説明及びその作用効果の説明は簡潔のため省略する。
【００９３】
通信端末装置２の記憶部１３に記憶される降雨情報１３ｃは、降雨の程度を示す程度情報が含まれている。程度情報とは例えば、降雨でないことを示す情報、降雨状態が小雨であることを示す情報、降雨状態が通常であることを示す情報、及び降雨状態が大雨であることを示す情報である。実施の形態４において、降雨情報１３ｃは領域ＩＤ毎に降雨の有無を示すフラグに代えて、程度情報が記憶されたテーブルである。
【００９４】
実施の形態４において、記憶部１３に記憶される車両情報１３ｄは、更に車速の程度を示す情報を含む。車速の程度を示す情報とは、低速、中速、及び高速を示す情報である。また、実施の形態４においては、車両情報１３ｄに記憶されているワイパーの作動状態を示す情報は、ワイパーの動作の速度を示す情報である。ワイパーの動作の速度を示す情報とは例えば、動作なし、間欠動作、低速動作、又は高速動作等である。実施の形態４において、車両情報１３ｄは、車両ＩＤ毎に車両３の位置情報、ワイパーの作動状態を示す情報、及び車速の程度を示す情報がテーブル形式で記憶されている。
【００９５】
実施の形態４において、ＣＰＵ１１は車両情報１３ｄから降雨情報１３ｃを生成するときに、程度情報を生成する。記憶部１３には、ＣＰＵ１１が車両情報１３ｄから程度情報を生成するときに参照する対応表を記憶されている。図１２は、実施の形態４における車両情報１３ｄから程度情報を生成するときに参照する対応表の具体例を示す説明図である。車両情報１３ｄに含まれるワイパーの作動状態を示す情報及び車速の程度を示す情報毎に、「０」〜「５」の評価点数が示されている。評価点数は、車両３毎の降雨の程度を示す点数であり、点数が「０」は降雨状態でないことを示し、点数が「１」〜「５」においては、点数が高くなるにつれて強い降雨状態であることを示す。なお、実施の形態４においては、評価点数を「０」〜「５」としたが、それ以外の点数であってもよい。具体的には、ワイパーの動作の速度が一定であったときに車速が高速になるにつれて降雨の強さが弱くなり、車速が一定であったときにワイパーの動作の速度が速くなるにつれて降雨の強さが強くなるように、対応表が作成されていればよい。
【００９６】
ここで、ＣＰＵ１１が車両情報１３ｄから降雨情報１３ｃを生成する処理の一例においては、以下に説明する箇所以外においては上述の実施の形態１において説明した処理と同様であるため詳細な説明は省略する。実施の形態１においては、ＣＰＵ１１は、領域夫々に対応付けて一時記憶部１２に車両情報１３ｄのレコード群を記憶した後、領域毎の降雨の有無を判定する処理を行った。実施の形態４においては、その処理に代えて、降雨の程度を判定する処理を行う。具体的には、ＣＰＵ１１は、一の領域に対応付けて記憶された車両情報１３ｄのレコード毎に、ワイパーの作動状態を示す情報及び車速の程度を示す情報と、図１１に示した対応表とを照合して評価点数を取得する。ＣＰＵ１１は取得したレコード毎の評価点数から、一の領域についての平均を算出する。ＣＰＵ１１は、算出した平均点及び予め設定された基準を用いて降雨の程度を判定する。ＣＰＵ１１は予め設定された基準によって、例えば平均が０〜１の場合は降雨でないことを示す情報、１〜２の場合は降雨状態が小雨であること示す情報、２〜４の場合は降雨状態が通常であることを示す情報、及び４〜５の場合は降雨状態が大雨であることを示す情報とする。その後、ＣＰＵ１１は、上述の降雨の程度における判定結果に基づき、領域ＩＤ毎に程度情報が記憶されたテーブル、即ち降雨情報１３ｃを生成する。
【００９７】
サーバ装置１は、上述の降雨情報１３ｃを用いて、図８に示す信号送信処理を行う。図８中のステップＳ３２及びステップＳ３４において、ＣＰＵ１１は記憶部１３に記憶された降雨情報１３ｃを参照して降雨の程度を判定することにより、降雨の有無を判定する。具体的にはＣＰＵ１１は、降雨情報１３ｃを参照したときに降雨でないことを示す情報であったとき、降雨無と判定し、それ以外においては降雨有と判定する。なお、ＣＰＵ１１は、図８中のステップＳ３２及びステップＳ３４において制御プログラム１３ａを実行することにより、本発明における降雨判定部及び程度判定部として機能する。なお、実施の形態４においては、ＣＰＵ１１は、１つのステップにおいてＣＰＵ１１を降雨判定部及び程度判定部として機能したが、一方のステップにおいて降雨判定部として機能し、他方のステップにおいて程度判定部として機能するように、２つのステップに分けて処理を行ってもよい。
【００９８】
また、図８中のステップＳ３５において、ＣＰＵ１１は通信部１４に指令を出し、ステップＳ３４において降雨情報１３ｃを参照したときの程度情報の種別に応じて第２の信号に含む情報を変えて通信端末装置２に送信する。第２の信号を受信した通信端末装置２は、図６中のステップＳ１５において、その第２の信号に含まれる情報に応じて報知内容を変える。例えば、通信端末装置２のＣＰＵ２１は、ディスプレイ２４ａに、「この先、小雨が降っています。」、「この先、大雨が降っています。」等のメッセージ画像を表示させる。
【００９９】
以上の構成及び処理により、サーバ装置１は、二輪車４による移動先における降雨の程度を通信端末装置２に送信することができ、通信端末装置２はその程度に応じた多段階の報知をすることができる。そのため、通信端末装置２のユーザは例えば、移動先が小雨であれば雨具を着用せず移動を続け、移動先が大雨であれば雨具の着用の準備をする等の柔軟な判断を行うことができる。
【０１００】
（実施の形態５）
実施の形態１〜４においては、二輪車４の移動方向は、通信端末装置２から送信される位置情報を含んだ信号を複数回サーバ装置１が受信することにより、サーバ装置１側で判定されていた。実施の形態５においては、二輪車４の移動方向は、通信端末装置２から送信される信号に含まれる移動方向に係る情報に基づいて、サーバ装置１側で判定する例を示す。なお、以下で説明する構成及び作用を除くその他の構成及び作用は上述の実施の形態１〜３と同様であるため、同様な構成に関する詳細な説明及びその作用効果の説明は簡潔のため省略する。
【０１０１】
図１３は、実施の形態５における通信端末装置２の構成を示すブロック図である。通信端末装置２は、方向検知部２８を備える。方向検知部２８は、例えばジャイロセンサーを含んで構成され、通信端末装置２の移動方向、即ち二輪車４の移動方向を検知する。
【０１０２】
通信端末装置２のＣＰＵ２１は、所定のタイミング毎に方向検知部２８に指令を出し、二輪車４の移動方向を検知する。その後、ＣＰＵ２１は通信部２６に指令を出し、方向検知部２８が検知した二輪車４の移動方向を含んだ信号をサーバ装置１に送信する。なお、ＣＰＵ２１は移動方向を含んだ信号を送信するとき、制御プログラム２３ａを実行することにより、本発明の移動方向送信部として機能する。
【０１０３】
サーバ装置１のＣＰＵ１１は、通信端末装置２から送信される二輪車４の移動方向を含んだ信号を通信部１４にて受信し、受信した信号に基づいて二輪車４の移動方向を判定する。なお、ＣＰＵ１１は通信端末装置２から移動方向を含んだ信号を受信するとき、制御プログラム１３ａを実行することにより、本発明の移動方向受信部として機能する。実施の形態１〜３においては、図７中のステップＳ２２、ステップＳ２３、及びステップＳ２７の処理、又は図１０中のステップＳ４２、ステップＳ４３、及びステップＳ４９の処理により、サーバ装置１は、二輪車４の移動方向を判定した。実施の形態４においては、その処理を行うことなく二輪車４の移動方向を判定する。
【０１０４】
以上の構成及び処理により、サーバ装置１は、通信端末装置２が検知した二輪車４の移動方向に基づいて、二輪車４の移動方向を判定することができる。そのため、通信端末装置２から送信される信号を複数回受信することなく、二輪車４の移動方向を判定することができる。なお、ＣＰＵ２１が方向検知部２８に指令を出す所定のタイミングは、実施の形態１における図６中のステップＳ１１と同様のタイミングであってもよいし、異なるタイミングであってもよい。また、二輪車４の移動方向を含んだ信号は、他に二輪車４の位置情報及び記憶部２３に記憶された識別情報２３ｂを含んでもよい。その場合、実施の形態１における図６中のステップＳ１３で送信される信号は、二輪車４の位置情報、記憶部２３に記憶された識別情報２３ｂ、及び二輪車４の移動方向が含まれる。
【０１０５】
なお、実施の形態１〜５においては、地図情報１３ｂに含まれる平面地図の各次元を区分けした矩形状の領域としたが、それ以外の形状であってもよい。例えば、六角形、三角形等の形状であってもよいし、複数の形状を有する行政区画であってもよい。
【０１０６】
また、実施の形態１〜５においては、通信端末装置２のＣＰＵ２１は、位置検出部２７または、方向検知部２８に指令を出すタイミングは予め設定されたタイミングであったが、そのタイミングを可変としてもよい。例えば、通信端末装置２の移動速度、即ち二輪車４の移動速度に応じてタイミングを可変としてもよい。その場合、通信端末装置２に加速度センサ等の移動速度を検出できる機構を備えることにより実現できる。
【０１０７】
また、実施の形態１〜５においては、車両情報１３ｄはワイパーの作動状態を示す情報が含まれていることを説明したが、降雨を検出するセンサの検知状態を示す情報であってもよい。センサの検知状態を示す情報は、降雨の検出の有無の情報又は検出した降雨の程度の情報であればよい。
【０１０８】
また、実施の形態１〜５においては、一の通信端末装置２と一のサーバ装置１とが通信を行うことを説明したが、複数の通信端末装置２と一のサーバ装置１とが通信を行うようにしてもよい。その場合、サーバ装置１が複数の通信端末装置２の識別情報２３ｂを含む情報を記憶することにより実現することができる。
【０１０９】
更に、今回開示された実施の形態は全ての点で例示であって、制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【０１１０】
１  サーバ装置（降雨情報送信装置）
２  通信端末装置
３  車両
１１  ＣＰＵ（取得部、生成部、位置情報受信部、所在領域降雨判定部、降雨判定部、方向判定部、特定部、判定結果送信部、第２隣接領域降雨判定部、方向判定部、移動道路判定部、進行方向判定部、程度判定部、移動方向受信部）
１３  記憶部
１３ｂ  地図情報
１３ｃ  降雨情報
１３ｄ  車両情報
２１  ＣＰＵ（位置情報送信部、判定結果受信部、移動方向送信部）
２４ａ  ディスプレイ（報知部）
２４ｂ  スピーカ（報知部）
【図１】
2015025718.tif 000003
【図２】
2015025718.tif 000004
【図３】
2015025718.tif 000005
【図４】
2015025718.tif 000006
【図５】
2015025718.tif 000007
【図６】
2015025718.tif 000008
【図７】
2015025718.tif 000009
【図８】
2015025718.tif 000010
【図９】
2015025718.tif 000011
【図１０】
2015025718.tif 000012
【図１１】
2015025718.tif 000013
【図１２】
2015025718.tif 000014
【図１３】
2015025718.tif 000015